(57)【要約】【解決手段】開示された実施の形態において、アクセス端末のアクティブセクターの信号レベルは、アクセス端末の現在のサービングセクターの信号レベルと比較される（２０４）。次に、デルタクレジットが累積される（２０６）。ＤＲＣロックビットが利用可能なら、累積された合計クレジットは正当と認められ、正当と認められた累積された合計クレジットを生成する（２０８）、（２１０）。その後、アクティブセクターの信号レベルおよび正当と認められた累積された合計クレジットに基づいて候補セクターの集まりから新しいサービングセクターが識別される。
2005524252.tif 000002
【特許請求の範囲】
【請求項１】
下記を具備するＣＤＭＡ通信システムにおいて、最良のサービングセクターを選択するための方法：
複数のアクティブセクターから受信した複数の信号レベルを現在のサービングセクターの信号レベルと比較し、差分を生成する；
前記差分に基づいて前記複数のアクティブセクターの各々のためのデルタクレジットを発生する；
複数のデルタクレジットを累積し、累積された合計クレジットを生成する；
前記累積された合計クレジットから前記最良のサービングセクターを識別する。
【請求項２】
前記複数のアクティブセクターから受信した前記複数の信号レベルは、固定速度の信号レベルと可変速度の信号レベルを具備する、請求項１の方法。
【請求項３】
前記比較ステップの前に、前記固定速度信号レベルを調節し、調節された固定速度信号レベルを生成するステップをさらに具備する、請求項２の方法。
【請求項４】
前記識別するステップの前に、前記複数のデルタクレジットを正当と認めるステップをさらに具備する、請求項３の方法。
【請求項５】
複数のＤＲＣロックビットを受信するステップと；
前記可変速度信号を調節し、調節された可変速度信号レベルを生成するステップをさらに具備する、請求項４の方法。
【請求項６】
前記複数のアクティブセクターから最高の可変速度モードを有するセクターを決定するステップと；
前記複数のアクティブセクターから最高の固定速度モードを有するセクターを決定するステップと；
をさらに具備する、請求項５の方法。
【請求項７】
好適モードを決定するステップをさらに具備する、請求項６の方法。
【請求項８】
下記を具備する、ＣＤＭＡ通信システムにおいて、最良のサービングセクターを選択するための装置：
複数のアクティブセクターから受信した複数の信号レベルを現在のサービングセクターの信号レベルと比較し、差分を生成する手段；
前記差分に基づいて、前記複数のアクティブセクターの各々のためのデルタクレジットを発生する手段；
複数のデルタクレジットを累積し、累積された合計クレジットを生成する手段；
前記累積された合計クレジットから前記最良のサービングセクターを識別する手段。
【請求項９】
前記複数のアクティブセクターから受信した前記複数の信号レベルは、固定速度信号レベルおよび可変速度信号レベルを具備する、請求項８の装置。
【請求項１０】
前記固定速度信号レベルを調節し、調節された固定速度信号レベルを生成する手段をさらに具備する、請求項９の装置。
【請求項１１】
前記複数のデルタクレジットを正当と認める手段をさらに具備する、請求項１０の装置。
【請求項１２】
複数のＤＲＣロックビットを受信する手段と；
前記可変速度信号を受信し、調節された可変速度信号レベルを生成する手段と；
をさらに具備する、請求項１１の装置。
【請求項１３】
前記複数のアクティブセクターから最高の可変速度モードを有するセクターを決定する手段と；
前記複数のアクティブセクターから最高の固定速度モードを有するセクターを決定する手段と；
をさらに具備する、請求項１２の装置。
【請求項１４】
好適モードを決定する手段をさらに具備する、請求項１３の装置。
【請求項１５】
下記ステップを具備する、ＣＤＭＡ通信システムにおいて、最良のサービングセクターを選択する方法：
複数のアクティブセクターから受信した複数の信号レベルを、現在のサービングセクターの信号レベルと比較し、差分を生成する、前記複数の信号レベルは固定速度信号レベルおよび可変速度信号レベルを具備する；
前記差分に基づいて前記複数のアクティブセクターの各々のためのデルタクレジットを発生する；
複数の前記デルタクレジットを累積し、累積された合計クレジットを生成する；
前記累積された合計クレジットを正当と認め、最終クレジット合計を生成する；
前記最終クレジット合計から前記最良のサービングセクターを識別する。
【請求項１６】
前記比較するステップの前に、前記固定速度信号レベルを調節し、調節された固定速度信号レベルを生成するステップをさらに具備する、請求項１５の方法。
【請求項１７】
複数のＤＲＣロックビットを受信するステップと；
前記可変速度信号を調節し調節された可変速度信号レベルを生成するステップと；
をさらに具備する、請求項１６の方法。
【請求項１８】
前記複数のアクティブセクターから最高の可変速度モードを有するセクターを決定するステップと；
前記複数のアクティブセクターから最高の固定速度モードを有するセクターを決定するステップと；
をさらに具備する、請求項１７の方法。
【請求項１９】
好適モードを決定するステップをさらに具備する、請求項１６の方法。
【請求項２０】
下記ステップを具備する、ＣＤＭＡ通信システムにおいて、最良のサービングセクターを選択する方法：
複数のアクティブセクターから受信した複数の信号レベルを決定する、前記複数の信号レベルは、固定速度信号レベルおよび可変速度信号レベルを具備する；
前記固定速度信号レベルを調節し、調節された固定速度信号レベルを生成する；
前記複数のアクティブセクターから受信した前記複数の信号レベルを、現在のサービングセクターの信号レベルと比較し、差分を生成する；
前記差分に基づいて前記複数のアクティブセクターの各々のためのデルタクレジットを発生する；
複数の前記デルタクレジットを累積し、累積された合計クレジットを生成する；
前記複数のアクティブセクターのための複数のＤＲＣロックビットを受信する；
前記複数のＤＲＣロックビットに基づいて、前記累積された合計クレジットを正当と認め、最終クレジット合計を生成する；
前記最終クレジット合計から前記最良のサービングセクターを識別する。
【請求項２１】
前記複数のアクティブセクターから最高の可変速度モードを有するセクターを決定するステップと；
前記複数のアクティブセクターから最高の固定速度モードを有するセクターを決定するステップと；
をさらに具備する、請求項２０の方法。
【請求項２２】
好適モードを決定するステップをさらに具備する請求項２１の方法。
【請求項２３】
ＣＤＭＡ通信システムにおいて、最良のサービングセクターを選択するための方法を実施するためのコンピュータープログラムを含むコンピューター読み出し可能媒体において、前記コンピュータープログラムは下記を具備する：
複数のアクティブセクターから受信した複数の信号レベルを現在のサービングセクターの信号レベルと比較し、差分を生成する第１のコードセグメントと；
前記差分に基づいて前記複数のアクティブセクターの各々のためのデルタクレジットを発生する第２のコードセグメントと；
複数のデルタクレジットを累積し、累積された合計クレジットを生成する第３のコードセグメントと；
前記累積された合計クレジットから前記最良のサービングセクターを識別する第４のコードセグメント。
【請求項２４】
前記複数のアクティブセクターから受信した前記複数の信号レベルは、固定速度信号レベルおよび可変速度信号レベルを具備する、請求項２３のコンピューター読み出し可能媒体。
【請求項２５】
前記複数のアクティブセクターから受信した前記複数の信号レベルを、前記現在のサービングセクターの前記信号レベルと比較し前記差分を生成する前に、前記固定速度信号レベルを調節し、調節された固定速度信号レベルを生成する第５のコードセグメントをさらに具備する、請求項２４のコンピューター読み出し可能媒体。
【請求項２６】
前記累積された合計クレジットから前記最良のサービングセクターを識別する前に前記複数のデルタクレジットを正当と認める第６のコードセグメントをさらに具備する、請求項２５のコンピューター読み出し可能媒体。
【発明の詳細な説明】
【技術分野】
【０００１】
分野
この発明は、一般に、無線通信システムに関し、特に、ＣＤＭＡ通信システムにおいて、サイト選択送信ダイバーシティ（ＳＳＴＤ）のための方法およびシステムに関する。
【背景技術】
【０００２】
関連技術
セル方式の携帯無線電話システムの現在の世代は、データサービスのような以前の世代のサービスよりも、より多くのサービスを提供する。第１世代および第２世代のセルラー通信システムは、一般にほとんど音声サービスのために使用されていた。第２世代システムは、低いデータ転送速度ではあるが、限定されたデータサービスを追加し始めた。符号分割多元接続（「ＣＤＭＡ」）高データ転送速度（「ＨＤＲ」）システムのような第三世代システムは、第二世代システムのデータ転送速度よりもより高いデータ転送速度で統合データ能力を提供し、ストリーム化されたオーディオおよびビデオのようなサービスを提供することができる。
【０００３】
セルラーネットワークは、多くの地理的セルから構成され、各セルは複数のセクターを含んでいても良い。各セル内には、基地局がある。ユーザーは、一般に最良の信号を供給するセクターを介してネットワークと通信する。移動ユーザーが位置を変更すると、ユーザーは、最も信頼できる信号を供給する異なるセクターを介してネットワークと通信してもよい。第二世代ＣＤＭＡ通信システムにおけるハンドオフの技術は技術的に知られている。しかしながら、ＣＤＭＡ  ＨＤＲのようなＣＤＭＡデータ通信システムは、移動装置が新しいセクターを選択すると、新しい問題を提起する。
【０００４】
１つのそのような問題は、ユーザーがセクター間であまりにも早く切り替わるときに生じる。一般的なＣＤＭＡセルラーシステムにおいて、音声を含むデータトラヒックは、恐らく複数の基地局を用いて、移動装置と能動的に通信している各セクターに送られる。従って、移動装置と通信しているすべてのアクティブセクターは、トラヒックを移動装置に送信する。トラヒックの冗長性は、ハンドオフのために音声データの低遅延要件に適合するために必要であった。この制約は、データネットワークにおいて、緩和される。
【０００５】
パケットデータネットワークにおいて、ユーザーは、データ送信における短い遅延を許容してもよい。低い遅延はもはやシステム上の制約ではないので、ハンドオフシナリオにおいて、常にすべてのアクティブなセクターを介して冗長な送信をするよりもむしろ再送信を介して信頼性をより効率的に得ることができる。従って、一般的な高速パケットデータセルラーシステムにおいて、データトラヒックは、一般に、順方向リンクスループットを最大にする１つのセクターを介して送られる。この経路選択を達成するために、移動体はすべてのアクティブセクターを監視し、その中で、ユーザーは最良のアクティブセクターを選択し、その選択をネットワークに通知する。そのようなシステムは能力を最大にするために、チャネルダイナミック(channel dynamics)を利用する。シャドーイングプロセス(shadowing process)において、局所的なピークを利用するために、送信器を選択することは、選択ダイバーシティの形態である。従って、最良のサービングセクターを選択することは、またサイト選択送信ダイバーシティ（「ＳＳＴＤ」）とも呼ばれる。
【０００６】
図１は、ＣＤＭＡ  ＨＤＲのような、一般的なＣＤＭＡデータ通信システムを図解する。アクセスネットワーク１００はいくつかのアクセスポイントを含み、その中でアクセスポイント１１０および１３０のみが示される。アクセス端末１１４のような移動装置は、アクセスポイント１１０のようなアクセスポイントと通信し、アクセスネットワーク１００に接続する。一般に、アクセスポイント１１０のようなアクセスポイントは、セクター１１６、１１８、および１２０のようないくつかのセクターを有するであろう。
【０００７】
アクセス端末１１４は一般に、一度に１つのセクターと通信するので、アクセスポイント１１０からアクセス端末１１４に行くデータは、アクセス端末１１４が通信している特定のセクターに送られなければならない。
【０００８】
しかしながら、アクセス端末がセクター間で絶え間なく切り替わるとき、問題が持ち上がる。ある瞬間に、アクセス端末１１４が現在のサービングセクターとしてセクター１１６を選択するように、セクター１１６が最も強い順方向リンク信号を有すると仮定する。次の瞬間に、アクセスポイント１３０のセクター１３２は最も強い順方向リンク信号を有する。ちょっとの後に、セクター１１６は再び最も強い順方向リンクを有する。２以上のセクター間で迅速な切り替えを生ずることができることは可能である。切換が生じるたびに、アクセス端末１１４に送信されようとしていたデータは、そのセクターのための対応するデータキューに送信されなければならない。さらに、ユーザーは、データキューが準備できる前にデータを受信することはできない。そのような迅速な遷移は、ネットワークに対してかなりの量のオーバーヘッドを作り出し、ユーザーに対して機能停止を作り出す。
【０００９】
最良のセクターを選択するための第２の問題は、逆方向リンク信頼性に関連する。逆方向リンク上で、アクセス端末１１４は、チャネル状態フィードバック情報をネットワークに送信し、最高の順方向リンクスループットを得る際にネットワークを支援してもよい。高速データネットワークシステムにおいて、アクセス端末１１４は、データ転送速度制御信号（「ＤＲＣ」）を送信し、順方向リンク上のデータ転送速度を制御する。アクセス端末１１４がパケットをうまく受信したとき、アクセス端末１１４はまたアクノレッジ信号（「ＡＣＫ」）をサービングセクターに送信する。アクセス端末１１４は、アクセス端末１１４との信頼できる逆方向リンク接続を有する新しいセクターを選択しなければならない。さもなければ、ＤＲＣおよびＡＣＫ情報が失われ、システムのスループットを低減する。しかしながら、アクセス端末１１４は、逆方向リンク接続の信頼性を直ちに知ることはない。アクセス端末１１４が信頼できない逆方向リンクを有するセクターを選択するなら、スループットは再送信により損害を受ける。
【００１０】
理想としては、アクセス端末１１４は、順方向リンク上のスループットが最大となるように新しいセクターを選択しなければならない。第１にサイト選択は、高速トグリング(toggling)を回避しなければならない。第２に、サイト選択は、逆方向リンク信頼性の影響を順方向リンクスループット上に組み込まなければならない。従って、ＣＤＭＡデータ通信システムにおいて、最良のサービングセクターを適切に選択するための方法とシステムの技術的な必要性がある。
【発明の開示】
【課題を解決するための手段】
【００１１】
ここに開示される実施の形態は、信号レベルおよびタイミングヒステリシスを用いることにより、およびＣＤＭＡデータ通信システムにおけるサイト選択送信ダイバーシティにおいてＤＲＣ逆方向リンク信頼性情報を用いることにより、上述した必要性に対処する。
【００１２】
現在開示されている実施の形態は、ＣＤＭＡデータ通信システムにおけるサイト選択送信ダイバーシティのための方法およびシステムに向けられている。この発明の１つの観点によれば、アクセス端末のアクティブセクターの信号レベルは、アクセス端末の現在のサービングセクターの信号レベルと比較される。次に、信号レベルヒステリシスを用いて、デルタクレジットが累積される。逆方向リンク信頼性情報が利用可能なとき、累積された合計クレジットは正当と認められ、正当と認められた累積された合計クレジットを生成する。その後、アクティブセクターの信号レベルおよび正当と認められた累積された合計クレジットに基づいて、候補セクター群の集まりから最良のサービングセクターが識別される。
【発明を実施するための最良の形態】
【００１３】
現在開示される実施の形態は、ＣＤＭＡデータ通信システムにおいて、サイト選択送信ダイバーシティを得るために最良のサービングセクターを選択するための方法およびシステムに向けられている。以下の記述は、この発明の実施に関係する特定の情報を含む。当業者は、この出願において、特に議論した方法とは異なる方法で実施してもよいことを認識するであろう。さらに、この発明の特定の詳細のいくつかは、この発明を分りにくくしないように議論されない。この出願において、議論されない特定の詳細は、当業者の知識の範囲内である。
【００１４】
この出願における図面およびそれに伴う詳細な記載は、単に、この発明の例示実施の形態に向けられている。簡潔さを維持するために、この発明の原理を使用するこの発明の他の実施の形態は、この出願において、特に記載はされず、この図面により特に図解されない。「例示」という言葉は、ここでは、「実施例、事例、例証として役に立つ」ということを意味するためにもっぱら使用される。「例示」としてここに記載されるいかなる実施の形態も、他の実施の形態に対して好適であるまたは利点があると必ずしも理解されるべきでない。
【００１５】
図２はこの発明の一実施の形態を図解する。一例として、この発明のこの実施の形態は、ＣＤＭＡ通信システムにおいて図解する。ＣＤＭＡ通信システムの一般的原理、特に、通信チャネル上に送信するための拡散スペクトル信号の発生のための一般的原理は、この発明の譲受人に譲渡された、「衛星または地上リピーターを用いた拡散スペクトル多元接続通信システム」(Spread Spectrum Multiple Access Communication System Using Satellite or Terrestrial Repeaters)という発明の名称の米国特許４，９０１，３０７に記載されている。その特許の開示、すなわち、米国特許４，９０１，３０７は参照することによりこの出願に完全に組み込まれる。さらに、この発明の譲受人に譲渡された、「ＣＤＭＡセルラー電話システムにおいて信号波形を発生するシステムおよび方法」(System and Method for Generating Signal Waveforms in a CDMA Cellular Telephone System)は、ＰＮ拡散、ウオルシュカバリング、およびＣＤＭＡ拡散スペクトル通信信号を発生するための技術に関連する原理を開示する。その特許の開示、すなわち、米国特許５，１０３，４５９も参照することにより、この出願に完全に組み込まれる。さらに、この発明は、データの時分割および「高速データ転送速度」通信システムに関連する種々の原理を利用する。そして、この発明は、この発明の譲受人に譲渡された、１９９７年１１月３日に出願された米国特許出願であって、発明の名称が「高速パケットデータ送信のための方法および装置」(Method and Apparatus for High Rate Packet Data Transmission)であり、出願番号が０８／９６３，３８６の米国特許出願に使用することができる。その特許出願の開示も参照することによりこの出願に完全に組み込まれる。
【００１６】
手続き２００は、例えば、アクセス端末１１４および／またはアクセスポイント１１０においてソフトウエアで動作させてもよい。手続き２００は、アクセス端末１１４のためのサイト選択送信ダイバーシティを得るために最良のサービングセクターを決定するためのステップ群を含む。ＣＤＭＡ  ＨＤＲシステムで動作しているとき、アクセス端末１１４が接続された状態にある間、すなわち、アクセスネットワーク１００と通信している間、各ＨＤＲスロットにつき一度、手続き２００がコールされる。手続きはステップ２０２において開始し、次のステップに進む。ステップ２０４において、アクセス端末１１４は、アクティブセクターとも呼ばれる、アクセス端末１１４のパイロットのアクティブセット内の各セクターから順方向リンク信号レベルを測定する。また、ステップ２０４において、現在のサービングセクターのための順方向リンク信号レベルが測定される。
【００１７】
ＣＤＭＡ  ＨＤＲのようなＣＤＭＡデータ通信システムにおいて、アクセス端末は、可変速度モードまたは固定速度モードのいずれかを用いて順方向リンク送信上のトラヒックを受信することができる。通常、逆方向リンク送信が信頼できるとき、アクセス端末１１４が可変データ転送速度を用いてアクセス端末から送信された信号を受信することが望ましい。さもなければ、逆方向リンク送信が信頼できないとき、すなわち、ＤＲＣチャネルが最も強い順方向リンク信号を有するセクターに対して、ＤＲＣチャネルが信頼できないとき、固定データ転送速度モードを使用してもよい。固定速度モードにおいて、アクセス端末１１４は、複数のスロットに対して使用するために、低速だが、安定したデータ転送速度でトラヒックを受信する。一実施の形態において、この発明は可変速度モードおよび固定速度モードの両方に対して信号レベルを決定する。後のステップにおいて、セクターが選択されるとき、可変速度モードまたは固定速度モードのいずれかを選択することができる。ステップ２０４は、図３において、より詳細に提示される。
【００１８】
ステップ２０６において、アクセス端末１１４は、アクティブセクターからの順方向リンク信号レベルと、現在のサービングセクターからの順方向リンク信号レベルとの間の差分を決定し、その差分をスロットごとに累積し、累積された合計クレジットを発生する。ステップ２０６は図４においてより詳細に提示される。
【００１９】
ステップ２０８において、手続き２００は、ＤＲＣロックビットの新しいセットが受信されたかどうか判断する。ＤＲＣロックビットの新しいセットが受信されたなら、手続きはステップ２１０に続く。さもなければ、手続きは、ステップ２１４において手続きの終了に続く。
【００２０】
ステップ２１０において、手続き２００は、現在のサービングセクターおよびアクティブセクターのＤＲＣロックビットに基づいて累積された合計クレジットを正当と認める。ＤＲＣロックビットは、セクターの逆方向リンクが信頼できるかどうかを表すので、ＤＲＣロックビットは、一般に、信頼できる逆方向リンクを有するセクターのクレジットを正当と認めるために、および信頼できない逆方向リンクを有するセクターのクレジットを破棄するために利用される。ステップ２１０の後、手続きはステップ２１２に続く。ステップ２１０は、図５により詳細に提示される。
【００２１】
ステップ２１２において、手続き２００は、ステップ２１０からの正当と認められた累積された合計クレジットを使用して最良のサービングセクターを識別する。ステップ２１２は、図６により詳細に提示される。
【００２２】
図３の手続き３００は、手続き２００の信号レベル推定ステップ、すなわち、ステップ２０４についてさらに詳しく述べる。手続き３００はスロットあたり１回コールされ、アクティブセクターの信号レベルを推定するために使用される。手続きはステップ３０２において開始する。ステップ３０４において、手続きは、アクティブセクターのパイロット信号レベル推定値を更新する。手続き３００は次に可変速度信号レベルと固定速度信号レベルを決定する。可変速度信号レベルおよび固定速度信号レベルは各アクティブセクターに対して計算される。可変速度信号レベル推定値および固定速度信号レベル推定値は両方とも、単極無限インパルス応答（「ＩＩＲ」）により決定してもよい。
【００２３】
上述したように、「調節された固定速度信号レベル」とも呼ばれる、固定速度状態におけるデータ送信の実際の速度は、一般に、ステップ３０４において決定される固定速度信号レベルにより示される送信の速度よりも低くなるように設定される。調節された固定速度信号レベルを固定速度信号レベルより低く設定するために、ステップ３０６において、デシベル（ｄＢ）でのエネルギーのオフセット量が固定速度信号レベルから差し引かれる。一実施の形態において、エネルギーのオフセット量は６ｄＢである。固定速度信号レベルに対するこの調節、すなわち、調節された固定速度信号レベルの決定は、すべてのアクティブセクターに対して実行される。
【００２４】
ステップ３０６の後、手続き３００は、現在のサービングセクターの信号レベルと他のすべてのアクティブセクターの信号レベルとの間の一連の比較を開始する。各比較において、現在のサービングセクターの可変速度信号レベルと調節された固定速度信号レベルは、アクティブセクターの可変速度信号レベルと調節された固定速度信号レベルと比較される。
【００２５】
ステップ３０８において、手続きは、現在のサービングセクターの可変速度信号レベルと、アクティクセクターの可変速度信号レベルとの間の差分を取る。この差分は、差分、ＤｉｆｆＶＶに設定される。異なるアクティブセクターとの比較ごとに、別個のＤｉｆｆＶＶが記憶される。手続きはステップ３１０に続く。
【００２６】
ステップ３１０において、手続きは、現在のサービングセクターの調節された固定速度信号レベルとアクティブセクターの可変速度信号レベルとの間の差分を取る。この差分は、差分、ＤｉｆｆＦＶに設定される。異なるアクティブセクターとの比較ごとに、別個のＤｉｆｆＦＶが記憶される。手続きはステップ３１２に続く。
【００２７】
ステップ３１２において、手続きは、現在のサービングセクターの可変速度信号レベルとアクティブセクターの調節された固定速度信号レベルとの間の差分を取る。この差分は、差分ＤｉｆｆＶＦに設定される。異なるアクティブセクターとの比較ごとに、別個のＤｉｆｆＶＦが記憶される。手続きはステップ３１４に続く。
【００２８】
ステップ３１４において、手続きは、現在のサービングセクターの調節された固定速度信号レベルとアクティブセクターの調節された固定速度信号レベルとの間の差分を取る。この差分は、差分ＤｉｆｆＦＦに設定される。異なるアクティブセクターとの比較ごとに、別個のＤｉｆｆＦＦが記憶される。手続きは、手続の終了、ステップ３１６において終了する。
【００２９】
従って、手続３００において決定された各ＤｉｆｆＸＸ値、すなわち、ＤｉｆｆＦＦ、ＤｉｆｆＦＶ、ＤｉｆｆＶＦおよびＤｉｆｆＶＶは、現在のサービングセクターとアクティブセクターとの間の信号レベルの差分を反映する。一例として、ＤｉｆｆＦＶは、固定モードにおける現在のサービングセクターと可変モードにおけるアクティブセクターとの間の信号レベル差分を反映する。
【００３０】
図４の例示手続４００は、手続２００のクレジット累積ステップ、すなわち、ステップ２０６についてさらに詳しく述べる。手続４００はスロットごとに１回実行される。手続４００は、信号レベルヒステリシスに従って、図３で決定された差分を累積する。信号レベルヒステリシスを差分に適用する際に、各差分、ＤｉｆｆＶＶ、ＤｉｆｆＦＶ、ＤｉｆｆＶＦ、およびＤｉｆｆＦＦは、２つのしきい値と比較される。例えば、この実施の形態では、差分が−３ｄＢ未満なら、対応するデルタクレジットがインクリメントまたは累積され、差分が０ｄＢより大きければ、対応するデルタクレジットがデクリメントされる。十分に強い信号レベルを有するアクティブセクターのみが、最良のサービングセクタを選択するために識別されることを保証する。
【００３１】
手続き４００は、ステップ４０２において開始する。ステップ４０６において、手続き４００は、ＤｉｆｆＶＶが−３ｄＢ未満かどうか判断する。ＤｉｆｆＶＶが−３ｄＢ未満なら、手続４００はステップ４０８に続く。さもなければ、手続き４００はステップ４１２に続く。ステップ４０８において、手続き４００は、ＤｅｌｔａＣｒｅｄｉｔＶＶを１だけインクリメントし、ステップ４１６に続く。
【００３２】
ステップ４１２において、手続き４００は、ＤｉｆｆＶＶが０ｄＢより大きいかどうか判断する。ＤｉｆｆＶＶが０ｄＢより大きいなら、手続き４００は、ステップ４１４に続く。さもなければ、手続き４００はステップ４１６に続く。ステップ４１４において、手続き４００は、ＤｅｌｔａＣｒｅｄｉｔＶＶを１だけデクリメントし、ステップ４１６に続く。
【００３３】
ステップ４１６において、手続き４００は、ＤｉｆｆＶＦが−３ｄＢ未満かどうか判断する。ＤｉｆｆＶＦが−３ｄＢ未満なら手続き４００はステップ４１８に続く。さもなければ、手続き４００は、ステップ４２０に続く。ステップ４１８において、手続き４００は、ＤｅｌｔａＣｒｅｄｉｔＶＦを１だけインクリメントし、ステップ４２４に続く。
【００３４】
ステップ４２０において、手続き４００は、ＤｉｆｆＶＦが０ｄＢより大きいかどうか判断する。ＤｉｆｆＶＦが０ｄＢより大きければ、手続き４００はステップ４２２に続く。さもなければ、手続き４００は、ステップ４２４に続く。ステップ４２２において、手続き４００は、ＤｅｌｔａＣｒｅｄｉｔＶＦを１だけデクリメントし、ステップ４２４に続く。
【００３５】
ステップ４２４において、手続き４００は、ＤｉｆｆＦＶが−３ｄＢ未満かどうか判断する。ＤｉｆｆＦＶが−３ｄＢ未満なら、手続き４００はステップ４２６に進む。さもなければ、手続き４００はステップ４２８に続く。ステップ４２６において、手続き４００は、ＤｅｌｔａＣｒｅｄｉｔＦＶを１だけインクリメントし、ステップ４３２に続く。
【００３６】
ステップ４２８において、手続き４００は、ＤｉｆｆＦＶが０ｄＢより大きいかどうか判断する。ＤｉｆｆＦＶが０ｄＢより大きければ、手続き４００は、ステップ４３０に続く。さもなければ、手続き４００はステップ４３２に続く。ステップ４３０において、手続き４００は、ＤｅｌｔａＣｒｅｄｉｔＦＶを１だけデクリメントし、ステップ４３２に続く。
【００３７】
ステップ４３２において、手続き４００はＤｉｆｆＦＦが−３ｄＢ未満かどうか判断する。ＤｉｆｆＦＦが−３ｄＢ未満なら、手続き４００はステップ４３４に続く。さもなければ、手続き４００は、ステップ４３６に続く。ステップ４３４において、手続き４００は、ＤｅｌｔａＣｒｅｄｉｔＦＦを１だけインクリメントし、ステップ４４０に続く。
【００３８】
ステップ４３６において、手続き４００は、ＤｉｆｆＦＦが０ｄＢより大きいかどうか判断する。ＤｉｆｆＦＦが０ｄＢより大きいなら、手続き４００はステップ４３８に続く。さもなければ、手続き４００は、ステップ４４０に続く。ステップ４３８において、手続き４００は、ＤｅｌｔａＣｒｅｄｉｔＦＦを１だけデクリメントし、ステップ４４０に続く。ステップ４４０において、手続き４００は、終了する。
【００３９】
図５の例示手続き５００は、手続き２００の承認ステップ、すなわち、ステップ２１０についてさらに詳しく述べる。手続き５００は、Ｌスロットに対してデルタクレジットが累積された後、実行される。但し、Ｌは、一実施の形態において、６４に設定される。手続き５００は、手続き４００において得られる、累積された合計クレジット、すなわち、ＤｅｌｔａＣｒｅｄｉｔＶＶ、ＤｅｌｔａＣｒｅｄｉｔＶＦ、ＤｅｌｔａＣｒｅｄｉｔＦＶ、およびＤｅｌｔａＣｒｅｄｉｔＦＦを正当と認める。手続き５００は、すべてのアクティブセクターの逆方向リンクのための受信された信頼性情報に基づいてセクターごとにデルタクレジットを正当と認める。デルタクレジットを正当と認めることは、適当な量を累積された合計クレジットに加算または減算することにより実施することができる。
【００４０】
手続きは、ステップ５０２において開始する。ステップ５０４において、手続き５００は、現在のサービングセクターの逆方向リンクが信頼できるかどうか判断する。現在のサービングセクターのＤＲＣロックビットが「１」なら、現在のサービングセクターの逆方向リンクは信頼できる。現在のサービングセクターのＤＲＣロックビットが「１」なら、手続き５００はステップ５０６に進む。さもなければ、手続き５００はステップ５１２に進む。
【００４１】
ステップ５０６において、手続き５００は、セクターｊの逆方向リンクが信頼できるかどうか、すなわち、セクターｊのＤＲＣロックビットが「１」かどうか判断する。セクターｊのＤＲＣロックビットが「１」なら、手続き５００は、ステップ５０８に続く。さもなければ、手続き５００は、ステップ５１０に続く。ステップ５０８において、セクターｊは信頼できる逆方向リンクを有することが発見されたので、セクターｊに対して、累積されたすべてのデルタクレジットは正当と認められる。言い換えれば、セクターｊが信頼できる逆方向リンクを有するという仮定に基づいて、セクターｊに対して、手続き４００において以前に累積されたすべての累積クレジットは、今、受け入れることができる（すなわち、正当であると認めることができる）。何故なら、セクターｊのＤＲＣロックビットが事実その仮定の正当性を立証するからである。従って、ステップ５０８において、セクターｊのＤｅｌｔａＣｒｅｄｉｔＶＶ、ＤｅｌｔａＣｒｅｄｉｔＶＦ、ＤｅｌｔａＣｒｅｄｉｔＦＶおよびＤｅｌｔａＣｒｅｄｉｔＦＦはすべて正当であると認められる。
【００４２】
その代わりに、ステップ５０６において、セクターｊの逆方向リンクが信頼できない、すなわち、セクターｊのＤＲＣロックビットが「０」なら、手続き５００は、ステップ５１０に進む。ステップ５１０において、ＤｅｌｔａＣｒｅｄｉｔＶＦおよびＤｅｌｔａＣｒｅｄｉｔのみが正当であると認められ、一方、ＤｅｌｔａＣｒｅｄｉｔＦＶおよびＤｅｌｔａＣｒｅｄｉｔＶＶは拒絶される、すなわち正当であると認められない。
【００４３】
ステップ５０４において、現在のサービングセクターの逆方向リンクが信頼できないと判断されるなら、手続き５００はステップ５１２に続く。ステップ５１２において、手続き５００は、アクティブセクターｊの逆方向リンクが信頼できるかどうか、すなわち、セクターｊのＤＲＣロックビットが「１」かどうか判断する。セクターｊのＤＲＣロックビットが「１」なら、手続き５００はステップ５１４に続く。さもなければ、手続き５００は、ステップ５１６に続く。ステップ５１４において、現在のサービングセクターは信頼できない逆方向リンクを有し、セクターｊは、信頼できる逆方向リンクを有するので、セクターｊに対して累積されたクレジットは、正当と認められる。すべてのクレジット、すなわち、ＤｅｌｔａＣｒｅｄｉｔＶＶ、ＤｅｌｔａＣｒｅｄｉｔＶＦ、ＤｅｌｔａＣｒｅｄｉｔＦＶおよびＤｅｌｔａＣｒｅｄｉｔＦＦは正当と認めることができる。何故なら、ＤＲＣロックビットが、セクターｊが信頼できる逆方向リンクを有するという仮定の正当性を立証するからである。
【００４４】
ステップ５１６において、現在のサービングセクターおよびセクターｊの逆方向リンクは両方とも信頼できないので、ＤｅｌｔａＣｒｅｄｉｔＶＶ、ＤｅｌｔａＣｒｅｄｉｔＶＦ、およびＤｅｌｔａＣｒｅｄｉｔＦＦのみが正当であると認められる。セクターｊのすべてのＤｅｌｔａＣｒｅｄｉｔＦＶが拒絶される。
【００４５】
デルタクレジットの承認または拒絶が、ステップ５０８、５１０、または５１６において完了されると、手続き５００はステップ５１８に続く。先行するステップ、すなわち、ステップ５０８、５１０、５１４または５１６において、セクターｊに対して正当と認められたクレジットは集計され、セクターｊのＣｒｅｄｉｔＦＦ、ＣｒｅｄｉｔＦＶ、ＣｒｅｄｉｔＶＦ、およびＣｒｅｄｉｔＶＶを発生する。ステップ５１８において集計されたＣｒｅｄｉｔＦＦ、ＣｒｅｄｉｔＦＶ、ＣｒｅｄｉｔＶＦまたはＣｒｅｄｉｔＶＶは一般にＣｒｅｄｉｔＸＸにより表されることに注意する必要がある。次に、累積されたデルタクレジットの承認のための手続き５００は、ステップ５２０において終了する。
【００４６】
図６の例示手続きは、手続き２００の識別ステップ、すなわち、ステップ２１２についてさらに詳しく述べる。手続き６００は、図５において、上述した、ステップ２１０からの正当と認められた累積された合計クレジットに基づいて、最良のサービングセクターを選択する。
【００４７】
手続き６００はステップ６０２において開始する。ステップ６０４において、候補セクター、すなわち、セクターｊに対して累積され、正当と認められたクレジット、すなわち、ＣｒｅｄｉｔＸＸは閾値と比較される。閾値は、例えば６４に設定することができる。候補セクターのＣｒｅｄｉｔＸＸが閾値を上回るなら、手続き６００はステップ６０６に続き、値ＦｌａｇＸＸが「１」に設定される。さもなければ、手続き６００は、ステップ６０８に続き、値ＦｌａｇＸＸは「０」に設定される。従って、値ＦｌａｇＸＸは、現在のサービングセクターと比較するとき、候補セクターの集計されたクレジットが、現在のサービングセクターから候補因子への切換えを支持するのに十分高いかどうかを示す。一例として、候補セクターのＦｌａｇＦＶが閾値を越えるなら、可変モードの候補セクターは、固定モードの現在のサービングセクターよりもより良い選択であろうことを意味するように解釈することができる。それに対して、ＦｌａｇＦＶが閾値を越えないなら、より良い選択は、可変モードの候補セクターよりも、固定モードの現在のサービングセクターであろうことを意味するように解釈することができる。ステップ６０４、６０６、および６０８は、すべての候補セクターおよびＣｒｅｄｉｔＸＸ、すなわち、ＣｒｅｄｉｔＦＦ、ＣｒｅｄｉｔＦＶ、ＣｒｅｄｉｔＶＦおよびＣｒｅｄｉｔＶＶの各変化に対して反復され、各候補セクターに対して、ＦｌａｇＦＦ、ＦｌａｇＦＶ、ＦｌａｇＶＦおよびＦｌａｇＶＶのセットを発生する。手続き６００は次に、ステップ６１０に続く。
【００４８】
ステップ６１０において、候補セクターの各々に対する平均可変速度信号は、受信したＤＲＣロックビットに基づいて調節される。上述したように、ＤＲＣロックビットは、逆方向リンクの信頼性と品質を示す。しかしながら、ＤＲＣロックビットは、アクティブセット内の候補セクターにより継続的に送信されない。むしろ、ＤＲＣロックビットは、断続的にのみ、例えば、６４スロット毎に送信される。ＤＲＣロックビットが受信されると、ＤＲＣロックビットは、可変モードの候補セクターの実際の信号レベルを決定するために利用することができる。調節された可変速度信号レベル（「ＡｄｊＶＡＲ」）は、逆方向リンクが信頼できるという仮定の下に以前に決定された平均可変速度からのＤＲＣロックビットに基づいて、値を差し引くことにより決定することができる。ステップ６１０は、アクティブセクターセット内のセクター毎に１回実行される。言い換えれば、調節された可変速度信号レベル、ＡｄｊＶＡＲは、候補セクター毎に決定される。
【００４９】
上述したステップにおいて、４つのＦｌａｇＸＸ値およびＡｄｊＶＡＲが候補セクター毎に決定されると、手続き６００はステップ６１２に続く。ステップ６１２において、候補セクターのＦｌａｇＶＶおよびＡｄｊＶＡＲが連結され、単一の整数、ＳｏｒｔＫｅｙＶａｒｉａｂｌｅ１を発生する。例えば、候補セクターのＦｌａｇＶＶが「ｘ」であり、候補セクターのＡｄｊＶＡＲが「ｙ」なら、候補セクターのＳｏｒｔＫｅｙＶａｒｉａｂｌｅ１は、「ｘｙ」であろう。同じ方法を用いて、ＳｏｒｔＫｅｙＶａｒｉａｂｌｅ２は、ＦｌａｇＦＶおよびＡｄｊＶａｒを連結することにより決定され、ＳｏｒｔＫｅｙＦｉｘｅｄ１は、ＦｌａｇＶＦと候補セクターの調節された固定速度を連結することにより決定され、およびＳｏｒｔＫｅｙＦｉｘｅｄ２は、ＦｌａｇＦＦと候補セクターの調節された固定速度を連結することにより決定される。従って、アクティブセット内の候補セクター毎に、ステップ６１２は、４つのＳｏｒｔＫｅｙ値、すなわち、ＳｏｒｔＫｅｙＶａｒｉａｂｌｅ１、ＳｏｒｔＫｅｙＶａｒｉａｂｌｅ２、ＳｏｒｔＫｅｙＦｉｘｅｄ１およびＳｏｒｔＫｅｙＦｉｘｅｄ２を発生する。
【００５０】
ステップ６１２において決定された候補セクターの４つのＳｏｒｔＫｅｙ値は、現在のサービングセクターから一方の候補セクターに切換えられたなら予想される、他方の候補セクターに対する相対的な改良を表す。例えば、第１候補セクターのＳｏｒｔＫｅｙＶａｒｉａｂｌｅ１が第２セクターのＳｏｒｔＫｅｙＶａｒｉａｂｌｅ１より大きければ、可変モードにある現在のサービングセクターの場合、可変モードにある第１候補セクターへの切換えは、可変モードにある第２候補セクターへの切換えよりもより良い切換えであろうとの結論を下すことができる。他の例として、第１候補セクターのＳｏｒｔＫｅｙＦｉｘｅｄ２が第２候補セクターのＳｏｒｔＫｅｙＦｉｘｅｄ２未満なら、固定モードにある現在のサービングセクターの場合、より良い選択は、固定モードにある第１候補セクターに切り替えるよりも、固定モードの第２候補セクターに切り替えることであろうと結論を下すことができる。
【００５１】
ステップ６１２における、候補セクターごとの４つのＳｏｒｔＫｅｙ値の決定に続いて、手続き６００は、ステップ６１４に続く。ステップ６１４において、可変モードへの切換えのための最も高いＳｏｒｔＫｅｙ値、および固定モードへの切換えのための最も高いＳｏｒｔＫｅｙ値が識別される。最も高いＳｏｒｔＫｅｙ値は、最良の送信品質および速度を提供するであろう可変モードおよび固定モード両方のための切り替えを示す。従って、可変モードへの切換えのための最も高いＳｏｒｔＫｅｙ値を識別するために、すべての候補セクターのＳｏｒｔＫｅｙＶａｒｉａｂｌｅ１値およびＳｏｒｔＫｅｙＶａｒｉａｂｌｅ２値は互いに比較される。全体で、最も高い値を有するＳｏｒｔＫｅｙＶａｒｉａｂｌｅ１またはＳｏｒｔＫｅｙＶａｒｉａｂｌｅ２は、ＨｉｇｈｅｓｔＳｏｒｔＫｅｙＶａｒｉａｂｌｅとして識別される。同様に、すべての候補セクターのＳｏｒｔＫｅｙＦｉｘｅｄ１値とＳｏｒｔＫｅｙＦｉｘｅｄ２値が比較され、ＨｉｇｈｅｓｔＳｏｒｔＫｅｙＦｉｘｅｄが識別される。
【００５２】
次に、手続き６００は、ステップ６１６に続き、ＨｉｇｈｅｓｔＳｏｒｔＫｅｙＶａｒｉａｂｌｅがＨｉｇｈｅｓｔＳｏｒｔＫｅｙＦｉｘｅｄと比較される。どちらかより高い方の値が好適モード、すなわち最良のサービングセクターとして選択される。例えば、ＨｉｇｈｅｓｔＳｏｒｔＫｅｙＶａｒｉａｂｌｅがＨｉｇｈｅｓｔＳｏｒｔＫｅｙＦｉｘｅｄより高いなら、好適モードは可変モードであろう、そして最良のサービングセクターは、ＨｉｇｈｅｓｔＳｏｒｔＫｅｙＶａｒｉａｂｌｅを有するセクターであろう。次に、手続き６００は、ステップ６２０において終了する。
【００５３】
代わりの実施の形態において、図２の手続きは、ＤＲＣロックビットの使用なしに逆方向リンクの信頼性を決定することができる。図７に図解される例示手続き７００は逆方向リンク電力制御ビット（「ＲＰＣ」）を用いて、ＤＲＣロックビットの代わりに逆方向リンクの信頼性を決定する。手続き７００は、手続き２００において発見されるいくつかの手続きを含む。手続き７００はステップ７０２において開始する。ステップ７０４は、手続き２００のステップ２０４と同一である。ステップ２０４の詳細は、手続き３００において、提示されたことを思い起こすであろう。従って、手続き３００は同様に、ステップ７０４の動作を詳述している。
【００５４】
ステップ７０６において、手続き７００は、アクティブセクターのＲＰＣビットを濾波し、対応する逆方向リンクの信頼性を決定する。ＲＰＣビットを単極ＩＩＲを用いて濾波し、平均値(a mean value or average value)を決定してもよい。セクターのＲＰＣビットの平均値が閾値を越えるなら、セクターは信頼できる逆方向リンクを有すると結論を下すことができる。さもなければ、セクターは信頼できない逆方向リンクを有する。
【００５５】
ＤＲＣロックビットの場合、Ｌスロット毎に１回送信されるのと対照的に、ＲＰＣビットは、一般にアクティブセクターにより継続的に送信される。逆方向信頼性は、ＲＰＣビットから決定することができるので、手続き７００は累積されたデルタクレジットを正当と認めるためにＬスロットを待つ必要がない。その代わりに、手続き７００は、累積されたクレジットが信号レベル閾値並びに継続期間閾値を越えるとき、新しい最良のサービングセクターを選択することができる。
【００５６】
また、ステップ７０６において、手続き７００は、アクティブセクターごとに可変速度モード信号レベルおよび固定速度モード信号レベルに差し引きを適用する。平均(the average or mean)ＲＰＣ値が閾値を下回るなら、差し引きが可変速度信号レベルに適用される。さもなければ、差し引きは適用されない。可変速度信号レベルの例示差し引きは２０ｄＢであり得る。固定速度送信モードのためのより低い速度を保証するために、同様にして差し引きが固定速度信号レベルに適用される。固定速度信号レベルのための例示差し引きは６ｄＢであり得る。
【００５７】
次に、手続き７００のステップ７０８は、手続き２００のステップ２０６に類似している。ステップ７０８は、ステップ４００のようにデルタクレジットを累積し、累積された合計クレジットを生成する。クレジットの承認および参照はステップ７０６に含まれているので、ステップ７０８の累積された合計クレジットは承認される必要が無い。ステップ７１０において、手続き７００は手続き６００のように新しい最良のサービングセクターを識別する。この場合、手続き７００は、手続き６００の正当と認められた累積された合計クレジットの代わりに累積された合計クレジットを用いる。ステップ７１０の後、手続き７００はステップ７１２において終了する。
【００５８】
図８Ａのシステム８００はシステムブロック図において、例示手続き２００を描く。セクターｊ信号レベル８０２および現在のサービングセクター信号レベル８０４は、信号レベル推定器８０６に入力を供給する。信号レベル推定器８０６は、現在のサービングセクターおよびアクティブセット内のセクターの固定速度信号レベルからオフセット値を差し引き、すべてのセクターに対して調節された固定速度信号レベルを発生する。続いて、推定器８０６は、測定した信号レベル、すなわち信号レベル８０８を信号レベル比較器８１０に供給する。比較器８１０は、手続き３００のように差分８１２、ＤｉｆｆＶＶ、ＤｉｆｆＦＶ、ＤｉｆｆＶＦ、およびＤｉｆｆＦＦを決定する。差分８１２は、入力として累積器８１４に供給される。累積器８１４は、手続き４００のように、累積の期間、ヒステリシスを適用する。累積器８１４は、累積された合計クレジット、ＤｅｌｔａＣｒｅｄｉｔＶＶ、ＤｅｌｔａＣｒｅｄｉｔＶＦ、ＤｅｌｔａＣｒｅｄｉｔＦＶ、およびＤｅｌｔａＣｒｅｄｉｔＶＶをクレジット承認モジュール８２０に供給する。現在のサービングセクターのＤＲＣロックビット８１６およびセクターｊのＤＲＣロックビット８１８も入力をクレジット承認モジュール８２０に供給する。手続き５００のように、優先および承認を累積された合計クレジットに適用した後、クレジット承認モジュール８２０は、正当と認められた累積された合計クレジット８２２を新しいセクター識別モジュール８２４に供給する。新しいセクター識別モジュール８２４は、手続き６００の動作のように、候補セクターの集まりの中で最も高いレベルを選択する。候補セクターの集まりは、アクティブセクターから形成され、手続き５００および６００に従って順序付けされる。新しいセクター識別モジュール８２４は、新しいサービングセクター８２６、および送信モード８２８を出力する。送信モード８２８は、新しいサービングセクターの送信モードを固定速度または可変速度として識別する。
【００５９】
図８Ｂのシステム８５０は、システムブロック図において、手続き７００を描く。セクターｊの信号レベル８５２と現在のサービングセクター信号レベル８５４は入力を信号レベル推定器８５６に供給する。信号レベル推定値８５８とアクティブセクター８６２のＲＰＣビットは入力をＲＰＣフィルター８６０に供給する。平均ＲＰＣが閾値を越えるなら、手続き７００のステップ７０６のように可変速度信号レベルに差し引きが適用される。さもなければ、差し引きは適用されない。ＲＰＣフィルター８６０は、調節された信号レベル８６４を比較器８６６および新しいセクター識別モジュール８７４に供給する。比較器８６６は、手続き３００のように差分８６８、ＤｉｆｆＶＶ、ＤｉｆｆＦＶ、ＤｉｆｆＶＦ、およびＤｉｆｆＦＦを決定する。差分８６８は、入力として累積器８７０に供給される。累積器８７０は、累積の期間、手続き４００のようにヒステリシスを適用する。累積器８７０は、累積された合計クレジット８７２、ＤｅｌｔａＣｒｅｄｉｔＶＶ、ＤｅｌｔａＣｒｅｄｉｔＶＦ、ＤｅｌｔａＣｒｅｄｉｔＦＶおよびＤｅｌｔａＣｒｅｄｉｔＶＶを新しいセクター識別モジュール８７４に供給する。新しいセクター識別モジュール８７４は、手続き６００の動作のように、候補セクターの集まりの中で、最も高いソフトキーを有するセクターを選択する。最良のセクター識別モジュール８７４は、最良のサービングセクター８７６および送信モード８７８を出力する。送信モード８７８は、固定速度または可変速度として、新しいサービングセクター送信モードを識別する。
【００６０】
上記手続きおよびシステムブロック図は、議論された問題を克服する。上記手続きおよびシステムブロック図は、ＤＲＣロックビットの受信から逆方向リンク信頼性の推定値を得る。代わりの実施の形態において、上記手続きおよびシステムブロック図は、逆方向リンクの信頼性を推定するために、平均(a mean or average)ＲＰＣ値を使用してもよい。さらに、信号レベルヒステリシス及びタイミングヒステリシスを用いて、手続きおよびシステムブロック図は、高速トグリングの問題を克服する。従って、上述した方法において、ＣＤＭＡデータ通信システムにおけるサイト選択送信ダイバーシティを得るために、この発明は、最良のサービングセクターを選択する方法およびシステムを提供する。当業者は、情報及び信号が様々な異なる技術及び技法のいずれかを使用して表現されてよいことを理解するだろう。例えば、前記説明を通して参照されてよいデータ、命令、コマンド、情報、信号、ビット、記号及びチップは、電圧、電流、電磁波、磁場または磁性粒子、光学場または光学粒子、またはその任意の組み合わせによって表現されてよい。
【００６１】
当業者は、さらに、ここに開示されている実施形態に関連して説明された多様な例示的な論理ブロック、モジュール、回路及びアルゴリズムステップが、電子ハードウェア、コンピュータソフトウェア、または両方の組み合わせとして実現されてよいことを理解するだろう。ハードウェアとソフトウェアのこの互換性を明確に説明するために、多様な例示的な構成要素、ブロック、モジュール、回路及びステップが、一般的にそれらの機能という点で前述されている。このような機能性がハードウェアとして実現されるのか、あるいはソフトウェアとして実現されるのかは、特定の用途及び全体的なシステムに課される設計制約に依存する。当業者は、それぞれの特定の用途のために変化する方法で説明された機能性を実現してよいが、このような実現の決定は、本発明の範囲からの逸脱を引き起こすと解釈されるべきではない。
【００６２】
ここに開示されている実施形態に関連して説明された多様な例示的な論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブルロジックデバイス、離散ゲートまたはトランジスタ論理、離散ハードウェア構成要素、あるいはここに説明される機能を実行するように設計されたその任意の組み合わせをもって実現または実行されてよい。汎用プロセッサは、マイクロプロセッサであってよいが、代替策ではプロセッサは、任意の従来のプロセッサ、コントローラ、マイクロコントローラまたは状態機械であってよい。プロセッサは、例えばＤＳＰとマイクロプロセッサの組み合わせ、複数のマイクロプロセッサ、ＤＳＰコアと連動する１台または複数台のマイクロプロセッサ、あるいは任意の他のこのような構成など計算装置の組み合わせとして実現されてもよい。
【００６３】
ここに開示された実施形態に関連して説明された方法またはアルゴリズムのステップは、ハードウェア内、プロセッサによって実行されるソフトウェアモジュール内、あるいは２つの組み合わせの中で直接的に具体化されてよい。この出願において、コンピュータープログラムとも呼ばれるソフトウエアモジュールは、多数のソースコードセグメントまたはオブジェクトコードセグメントを含んでいても良く、ＲＡＭメモリ、フラッシュメモリ、ＲＯＭメモリ、ＥＰＲＯＭメモリ、ＥＥＰＲＯＭメモリ、レジスター、ハードディスク、脱着可能ディスク、ＣＤ−ＲＯＭ、ＤＶＤ−ＲＯＭまたは技術的に知られるいずれかの他の形態のコンピュータ読み出し可能媒体に常駐していてもよい。例示的なコンピュータ読み出し可能媒体は、プロセッサが、コンピュータ読み出し可能媒体から情報を読み出すことができ、情報をコンピュータ読み出し可能媒体に書き込むことができるプロセッサに接続される。別の方法では、コンピュータ読み出し可能媒体は、プロセッサに一体化してよい。プロセッサおよびコンピュータ読み出し可能媒体はＡＳＩＣに常駐してもよい。ＡＳＩＣは、移動体装置、基地局トランシーバー、または衛星トランスポンダーに常駐してもよい。別の方法では、プロセッサとコンピューター読み出し可能媒体はユーザー端末内の個別部品として常駐してもよい。
【００６４】
開示された実施の形態のこれまでの記載は、当業者がこの発明を製作または使用することを可能にするために提供される。これらの実施の形態に対する種々の変形は、当業者に容易に明らかであろう、そして、ここに定義される包括的原理は、この発明の精神または範囲から逸脱することなく他の実施の形態に適用してもよい。従って、この発明は、ここに示した実施の形態に限定されることを意図したものではなく、ここに開示された原理および新規な特徴に一致する最も広い範囲が許容されるべきである。
【図面の簡単な説明】
【００６５】
【図１】図１は、アクセス端末とアクセスポイントからなる例示ＣＤＭＡデータ通信システムアクセスネットワークを図解する。
【図２】図２は、最良のサービングセクターを選択するための例示手続きを図解する。
【図３】図３は、アクティブセクターの信号レベルを、現在のサービングセクターと比較するための例示手続きを図解する。
【図４】図４は、信号レベルヒステリシスを用いてデルタクレジットを累積するための例示手続きを図解する。
【図５】図５は、クレジット承認のための例示手続きを図解する。
【図６】図６は、最良のサービングセクターを識別するための例示手続きを図解する。
【図７】図７は、ＲＰＣビットを用いて最良のサービングセクターを選択するための例示手続きを図解する。
【図８Ａ】図８Ａは、最良のサービングセクターを選択するための例示システムを図解する。
【図８Ｂ】図８Ｂは、最良のサービングセクターを選択するための例示システムを図解する。
【図１】
2005524252.tif 000003
【図２】
2005524252.tif 000004
【図３】
2005524252.tif 000005
【図４】
2005524252.tif 000006
【図５】
2005524252.tif 000007
【図６】
2005524252.tif 000008
【図７】
2005524252.tif 000009
【図８Ａ】
2005524252.tif 000010
【図８Ｂ】
2005524252.tif 000011
【国際調査報告】
2005524252.tif 000012
2005524252.tif 000013